(57)【特許請求の範囲】
【請求項１】
柄の先に弧状湾曲部を備えた刺股において、前記柄を握り締めず軽く持つだけで、柄が自重により常にその両端が鉛直方向に自ずと向いて前記弧状湾曲部が水平状態となるように、前記柄を、前記弧状湾曲部の湾曲平面が水平状態において少なくとも柄の後方部が前記湾曲平面より鉛直方向に下った軸線に設けたことを特徴とする刺股。
【請求項２】
柄の軸線は、柄の前方部端と柄の中央部付近との間の何れかの部位から、湾曲平面より鉛直方向に下がり始める軸線となるように設けられたことを特徴とする請求項１に記載の刺股。
【請求項３】
柄の軸線は、弧状又は略への字状であることを特徴とする請求項１又は請求項２に記載の刺股。
【請求項４】
柄の先に弧状湾曲部を備えた刺股において、前記弧状湾曲部の湾曲内面側に制圧用凸部が設けられたことを特徴とする刺股。
【請求項５】
弧状湾曲部の湾曲内面側に制圧用凸部が設けられたことを特徴とする請求項１乃至請求項３の何れかに記載の刺股。
【請求項６】
制圧用凸部は、柄の前方端に相応する弧状湾曲部の中央に設けられたことを特徴とする請求項４又は請求項５に記載の刺股。
【請求項７】
制圧用凸部は、有弾力性素材であることを特徴とする請求項４乃至請求項６の何れかに記載の刺股。
【請求項８】
制圧用凸部は、着脱自在に装着されたことを特徴とする請求項４乃至請求項７の何れかに記載の刺股。
【発明の詳細な説明】
【技術分野】
【０００１】
本発明は、防犯護身用具としての刺股に関するものである。
【背景技術】
【０００２】
刺股は、江戸時代の捕り物用具の一つで（非特許文献１）、Ｕ字形の金具に２〜３ｍの長柄があり、Ｕ字型金具を相手の喉や腕等を壁や地面に押し付けて、相手の動きを押さえ込む物である。
【０００３】
【非特許文献１】株式会社三省堂  １９８９年１１月１０日発行「大辞林」第９７５頁「さすまた」の項
【発明の開示】
【発明が解決しようとする課題】
【０００４】
近年、学校等へ乱入して生徒の殺傷に及ぶ事件が多発し、これへの対策として、教育現場等ではアルミ製の軽量な刺股が採用され始めている。
刃物等の凶器を振り回す侵入者に対して、屈強な体格の警察官や所謂ガードマンであれば防護盾でもあれば十分であろうが、比較的女性が多い教育現場等では防護盾等では十分でない。
そもそも、防護盾は自分の身を身近かで防ぐためのものでしかなく、教職員が児童生徒を擁護するためのものとしては適当でないからである。
【０００５】
これに対して、刺股は、長柄があるため、侵入者を遠をざけた状態で、侵入者自身の動きを直接制圧することができ、振り回す凶器も我が身には容易に及び難い、という利点がある。
【０００６】
近年採用されている刺股は、危険を避けるため喉を対象とはせず、胸や胴を対象とした形体となり、Ｕ字部分を大きく拡開して弧状に湾曲させている（以下、弧状湾曲部という）ため、軽量とはいえ大振となっている。
【０００７】
このため、長柄の柄の握り加減だけで、刺股の弧状湾曲部を適正使用状態である水平状態に保つには今一つ困難性があり、殊に、非常時の混乱状態の中では、非力な者にとって、弧状湾曲部を水平状態に保ちつつ刺股を適正且つ有効に用いるには、難点がある。
【０００８】
又、刺股自体が軽量化されているため、侵入者を押さえつけるには、従来以上の制圧力が必要となり、この点からも、非力な者にとっては刺股が用い難い、という難点がある。
【課題を解決するための手段】
【０００９】
本発明は、上記課題の解決を目的としてなされたもので、柄を握り締めず軽く持つだけで、弧状湾曲部が適正な水平状態となると共に、従来に較べて非力な者が使用しても制圧力が増す刺股の提供を目的とする。
【００１０】
請求項１の刺股の発明は、柄の先に弧状湾曲部を備えた刺股において、前記柄を握り締めず軽く持つだけで、柄が自重により常にその両端が鉛直方向に自ずと向いて前記弧状湾曲部が水平状態となるように、前記柄を、前記弧状湾曲部の湾曲平面が水平状態において少なくとも柄の後方部が前記湾曲平面より鉛直方向に下った軸線に設けたことを特徴とする。
【００１１】
請求項２の発明は、請求項１に記載の刺股において、柄の軸線は、柄の前方部端と柄の中央部付近との間の何れかの部位から、湾曲平面より鉛直方向に下がり始める軸線となるように設けられたことを特徴とする。
【００１２】
請求項３の発明は、請求項１又は請求項２に記載の刺股において、柄の軸線は弧状又は略への字状であることを特徴とする。
【００１３】
請求項４の刺股の発明は、柄の先に弧状湾曲部を備えた刺股において、前記弧状湾曲部の湾曲内面側に制圧用凸部が設けられたことを特徴とする。
【００１４】
請求項５の発明は、請求項１乃至請求項３の何れかに記載の刺股において、弧状湾曲部の湾曲内面側に制圧用凸部が設けられたことを特徴とする。
【００１５】
請求項６の発明は、請求項４又は請求項５に記載の刺股において、制圧用凸部は柄の前方端に相応する弧状湾曲部の中央に設けられたことを特徴とする。
【００１６】
請求項７の発明は、請求項４乃至請求項６の何れかに記載の刺股において、制圧用凸部は有弾力性素材であることを特徴とする。
【００１７】
請求項８の発明は、請求項４乃至請求項７の何れかに記載の刺股において、制圧用凸部は、着脱自在に装着されたことを特徴とする。
【発明の効果】
【００１８】
請求項１乃至請求項３、及び請求項５乃至請求項８の各発明によれば、何れも、柄が曲げられているため、柄は自重により常にその両端が鉛直方向に自ずと向くので、柄を握り締めず軽く持つだけで、弧状湾曲部は常に適正な水平状態となる。
従って、非力な者であっても常に弧状湾曲部は常に適正な水平状態となるので、容易且つ適正に刺股を効果的に用いることができる。
【００１９】
又、柄はその両端側が自ずと下方を向いた状態で用いられ、柄先端方向へ押す力（製圧力）は、弧状湾曲部において押し下げる方向に作用するので、
直線的にしか作用しない従来の真っ直ぐな柄に較べて、構造上制圧力が高まる。
【００２０】
請求項４乃至請求項８の各発明によれば、何れも、制圧用凸部が弧状湾曲部に捕らわれた者の動きを更に制約することとなるので、非力な者によっても比較的容易に制圧することができる。
【発明を実施するための最良の形態】
【００２１】
本発明を、アルミ製の軽量化した刺股の実施例に基づいて説明する。
図１は刺股の平面図、図２は刺股を水平にした状態の側面図、図３は制圧用凸部の拡大側面図、図４は制圧用凸部の分解図である。
【実施例】
【００２２】
図1及び図２において、図中の符号１０は刺股の弧状湾曲部であり、人の首（喉）ではなく、胸や胴が対象となるよう図１に示すように大きく拡開され、弧状に湾曲させた形体とされている。
【００２３】
前記の弧状湾曲部１０が先端に設けられた刺股の柄２０は、当該弧状湾曲部１０の湾曲平面を水平状態（両方の湾曲先端が同じ高さ位置状態）とした場合に、少なくとも柄の後方部２１が湾曲平面より鉛直方向に下った軸線を描くように曲げて設ける。
【００２４】
図2に示すこの実施例の柄２０の軸線Ｘは、水平状態においた柄２０の前方部端２２と柄の中央部２３付近との間の何れかの部位から、鉛直方向に緩やかに下がり始め、湾曲平面より下がった軸線を描くように形成されている。
又、柄２０の軸線Ｘは、図示のような緩やかな弧状に限らず、略への字状に曲げて設けてもよい。
【００２５】
この実施例によれば、柄を上記のように曲げることにより、柄が自重で常にその両端が鉛直方向に下がる状態となり、その結果、自ずと弧状湾曲部１０（その湾曲平面）が水平状態となるので、柄を握り締めずに軽く持つだけで、弧状湾曲部が常に適正な水平状態（両方の湾曲先端が同じ高さ位置）となる。
【００２６】
従って、非力な者であっても、意識せずに、弧状湾曲部が適正な水平状態となるので、容易且つ適正且つ効果的に刺股を用いることができる。
又、柄先端方向へ押す力（製圧力）は、弧状湾曲部において押し下げる方向に作用することとなるので、直線的にしか作用しない従来の真っ直ぐな柄に較べて、同じ王圧力でも構造上高い制圧力を得ることができる。
【００２７】
尚、この実施例の弧状湾曲部１０や柄２０はアルミ素材で整形しているが、これに限らず、木製でもよいし、その他の素材を用いてもよい。
【００２８】
上記刺股の弧状湾曲部２０の湾曲内面側には、当該弧状湾曲部２０に補足された者の抗い動作を抑制するための抑制具として制圧用凸部３０が設けてある。この実施例に図示する制圧用凸部３０は、弧状湾曲部１０の湾曲内面側の中央部、即ち、柄２０の延長線上の柄２０の前方端に相応に位置するよう1個だけ設けてあるが、これに限らず、敵数個設けてもよい。
【００２９】
又、制圧用凸部３０は、補足者に傷害を負わせることが目的ではないので、傷害を生じさせないような有弾力性素材、例えば硬質ゴムや樹脂製であることが好ましい。
【００３０】
図３及び図４に示すように、この実施例の制圧用凸部３０は着脱自在に装着されている。
図中の符号３１は、柄２０の前方端部（先端部）３１に固定された取付用版であり、略三角板状に形成された制圧用凸部３０がボルト３２とナット３３とで取り付けられる。
【００３１】
従って、この制圧用凸部３０はボルト３２とナット３３を外して取り外した状態にても用いることができる。
又、この制圧用凸部３０は三角板状であるが、形状はこれに限らず、例えば先端が丸い棒状であってもよい。
尚、この取付用版３１には弧状湾曲部１０も固着されている。
【産業上の利用可能性】
【００３２】
本発明は、相手に損傷を与えない防犯護身用具として広く活用することができる。
【図面の簡単な説明】
【００３３】
【図１】刺股の平面図である。
【図２】刺股を水平にした状態の側面図である。
【図３】制圧用凸部の拡大側面図である。
【図４】制圧用凸部の分解図である。
【符号の説明】
【００３４】
１０  弧状湾曲部
２０  柄
３０  制圧用凸部
Ｘ    軸線（柄）
【図１】
0004832033.tif 000002
【図２】
0004832033.tif 000003
【図３】
0004832033.tif 000004
【図４】
0004832033.tif 000005